(57)【要約】【課題】電線を把持した状態で電線を切断できる間接活線工事用アダプタを提供する。【解決手段】アダプタ１０は、アダプタ本体１、係止手段２、及び把持部材３を備える。一方のアダプタ１０は切断部材４１を側面に固定し、他方のアダプタ１０は切断部材４２を側面に固定している。アダプタ本体１は、一対の対向面１０ｇ・１０ｇに把持部材３を取り付けている。一対の把持部材３・３は、引下線などの電線Ｗをその外周方向から把持できる。アダプタ本体１は、把持爪７１ａ又は把持爪７１ｂが挿入可能な凹部１１ｈを底面に開口している。係止手段２は、把持爪７１ａ又は把持爪７１ｂにアダプタ本体１を固定できる。切断部材４１及び切断部材４２は、電線Ｗを切断可能な半円弧状の刃部４ｃを端部に有する。一対の刃部４ｃ・４ｃを対向配置して、一対の把持腕７ａ・７ｂを閉じると、電線Ｗを把持した状態で電線Ｗを切断できる。【選択図】図１
2015082864.tif 000002
【特許請求の範囲】
【請求項１】
絶縁操作棒の先端部に設けた一対の開閉する把持腕に取り付け、これらの把持腕の間に配置された電線を切断可能な、一組で構成される間接活線工事用アダプタであって、
前記把持腕から遠心方向に突出する把持爪が挿入可能な凹部を底面に開口したブロック状のアダプタ本体と、
このアダプタ本体に取り付け、前記把持爪の把持面と反対面から当該把持爪を固定する係止手段と、
前記アダプタ本体の対向面に固定し、前記電線をその外周方向から把持する帯状の把持部材と、
前記アダプタ本体の一方の側面に着脱自在に固定し、前記電線をその外周方向から切断する半円弧状の刃部を端部に有する板状の切断部材と、を備え、
前記切断部材の刃部を対向配置すると共に、一対の前記把持腕が閉じた状態で、これらの刃部が交差するように、一方の前記切断部材に対して、他方の前記切断部材が厚さ方向に重なり合うように配置されている間接活線工事用アダプタ。
【請求項２】
前記アダプタ本体は、前記切断部材をボルト部材で固定するための一つ以上のネジ穴を一方の側面に有し、
前記切断部材は、前記ボルト部材が挿入され、一対の前記刃部の対向距離を調整可能な長穴を開口している請求項１記載の間接活線工事用アダプタ。
【請求項３】
前記把持部材は、その板厚方向に圧縮変形自在な弾性部材からなる請求項１又は２記載の間接活線工事用アダプタ。
【請求項４】
前記アダプタ本体は、その対向面に前記把持部材を貼着している請求項１から３のいずれかに記載の間接活線工事用アダプタ。
【発明の詳細な説明】
【技術分野】
【０００１】
本発明は、間接活線工事用アダプタに関する。特に、絶縁操作棒などの間接活線工具の先端部に設けた一対の開閉する把持腕に取り付け、高圧引下線などを切断できる間接活線工事用アダプタの構造に関する。
【背景技術】
【０００２】
高圧配電線を無停電で配電工事を行う活線作業には、直接活線工法と間接活線工法の二通りがある。直接活線工法は、作業者が高圧ゴム手袋などの保護具を着用して、通電中の高圧配電線に直接触れて配電工事を行う。一方、間接活線工法は、作業者が絶縁操作棒（ホットスティック）などを用いて、通電中の高圧配電線に直接触れることなく配電工事を行うことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、作業目的に対応して、先端工具を交換できるように構成している。
【０００４】
このような遠隔に配置された高圧配電線を把持する絶縁操作棒としては、絶縁操作棒の先端部に設けた一対の把持腕を手許の操作で開閉できる遠隔把持用絶縁操作棒、いわゆる「絶縁ヤットコ」が知られている。
【０００５】
上述した絶縁ヤットコを用いて、電線を把持する作業の他に、一組のアダプタを介して、一対の把持腕に切断工具を取り付け、高圧配電線から分岐する高圧引下線を切断できる間接活線工事用アダプタが開示されている（例えば、特許文献１参照）。
【先行技術文献】
【特許文献】
【０００６】
【特許文献１】特開２００３−１７０３６４号公報
【発明の概要】
【発明が解決しようとする課題】
【０００７】
図９は、従来技術による間接活線工事用アダプタ及び切断工具の構成を示す正面図であり、一方のアダプタを縦断面で示している。本願の図９は、特許文献１の図３に相当している。図１０は、遠隔把持用の絶縁操作棒の一例を示す正面図であり、図１０（Ａ）は、絶縁操作棒の基端部側を示し、図１０（Ｂ）は、絶縁操作棒の先端部側を示している。又、図１１は、図１０に示した絶縁操作棒の先端部を拡大した正面図である。
【０００８】
図９を参照すると、間接活線工事用アダプタ（以下、アダプタと略称する）８は、ブロック状のアダプタ本体８１と係止手段８２を備えている。アダプタ本体８１は、絶縁操作棒７０の先端部に設けた一対の開閉する湾曲した把持腕７ａ・７ｂに取り付けことができる。アダプタ本体８１は、凹部を底面に開口している。この凹部には、一対の把持腕７ａ・７ｂから遠心方向に突出する把持爪７１ａ又は把持爪７１ｂを挿入できる。
【０００９】
図９を参照すると、係止手段８２は、係合ピン８２ｐと圧縮コイルばね８２ｓを備えている。係合ピン８２ｐは、軸部と鍔部で構成している。軸部は、アダプタ本体８１の外壁から突出した円筒部８ｐの内部に収容されている。軸部は、その先端部が凹部の内部に突出している。鍔部は、円筒部８ｐの上端縁に当接している。
【００１０】
図９を参照すると、圧縮コイルばね８２ｓは、軸部の外周を巻回している。又、圧縮コイルばね８２ｓは、円筒部８ｐの内部に収容されている。圧縮コイルばね８２ｓの一端部は、軸部に固定されている。圧縮コイルばね８２ｓの他端部は、円筒部８ｐの内壁に固定されている。そして、圧縮コイルばね８２ｓは、軸部の先端部が凹部の内部に突出する力を付勢している。
【００１１】
図９を参照して、係合ピン８２ｐの鍔部を把持して、圧縮コイルばね８２ｓの弾性力に抗して、係合ピン８２ｐを引き上げると、把持爪７１ａ又は把持爪７１ｂを凹部に収容できる。そして、係合ピン８２ｐの鍔部を解放すると、把持爪７１ａ又は把持爪７１ｂの把持面７０ａ・７０ｂと反対面から把持爪７１ａ又は把持爪７１ｂに係合ピン８２ｐの先端部を当接できる。把持爪７１ａ又は把持爪７１ｂには、係合ピン８２ｐの先端部が進入する窪み７ｄを設けている。
【００１２】
図９を参照すると、切断工具９は、一対の柄部９１・９２と一対の刃部９ａ・９ｂを有している。一対の柄部９１・９２は、回動軸９ｃで開閉自在に連結している。又、一対の刃部９ａ・９ｂは、回動軸９ｃから延びた先端部に形成されている。一対の柄部９１・９２の基端部を閉じると、一対の刃部９ａ・９ｂを閉じて、図示しない引下線などを切断できる。
【００１３】
図９を参照すると、アダプタ本体８１は、その側面に工具取付部８３を設けている。柄部９１の基端部は、一方の工具取付部８３と回動自在に連結している。柄部９２の基端部は、他方の工具取付部８３と回動自在に連結している。一対の把持腕７ａ・７ｂを閉じると、一対の刃部９ａ・９ｂを閉じて、図示しない引下線などを切断できる。
【００１４】
図１０又は図１１を参照すると、間接活線工具となる絶縁操作棒（いわゆる、絶縁ヤットコ）７０は、長尺の操作棒７１と把持工具７２で構成している。把持工具７２は、操作棒７１の先端部に着脱自在に取り付けられている。又、絶縁操作棒７０は、作動棒７３を備えている。絶縁操作棒７０は、操作棒７１及び作動棒７３の中間部が絶縁性を有するプラスチックパイプなどで連結され、間接活線工法に好適なように、絶縁性が確保されている。
【００１５】
図１０又は図１１を参照すると、把持工具７２は、開閉する一対の湾曲した把持腕７ａ・７ｂで構成している。そして、一方の把持腕７ａは、基端部が固定された固定腕であり、他方の把持腕７ｂは、一方の把持腕７ａの基端部に設けた回動軸７ｃを中心に回動する可動腕となっている。
【００１６】
図１０又は図１１を参照すると、作動棒７３は、操作棒７１に沿って保持されている。作動棒７３の先端部は、他方の把持腕７ｂに回動可能に連結している。そして、作動棒７３の手許部に設けた操作レバー７４を操作すると、一方の把持腕７ａに対して、他方の把持腕７ｂを開閉できる。
【００１７】
図１０を参照して、操作レバー７４を握って、操作レバー７４を操作棒７１に近づけると、一方の把持腕７ａに対して、他方の把持腕７ｂを閉じることができる。操作レバー７４を解放すると、操作レバー７４に連結したばね（図示せず）の力で、一方の把持腕７ａに対して、他方の把持腕７ｂを開くことができる。図１１は、一方の把持腕７ａに対して、他方の把持腕７ｂが最大に開いた状態を示している。
【００１８】
図１１を参照して、一方の把持腕７ａは、先細り状の把持爪７１ａを突出している。把持爪７１ａは、把持面７０ａを形成している。把持面７０ａは、操作棒７１の軸中心と略平行に配置されている。同様に、他方の把持腕７ｂは、先細り状の把持爪７１ｂを突出している。把持爪７１ｂは、把持面７０ｂを形成している。把持面７０ｂは、把持面７０ａと所定の開角を設けて配置されている。図１０又は図１１を参照して、操作レバー７４を握ると、把持面７０ｂを把持面７０ａに近づけることができる。
【００１９】
ところで、図９に示した切断工具９を用いて、高圧配電線から分岐する高圧引下線を切断する場合には、切り離される高圧引下線を別の絶縁操作棒７０で把持している。しかし、高圧引下線を切断した直後に、別の絶縁操作棒７０で把持した反対側の高圧引下線が垂れ下がり、地絡又は短絡する心配があった。切断される高圧引下線の両端部を絶縁操作棒７０で把持しておけば、この心配は無くなるが、作業要員が増えるという問題がある。高圧引下線を把持した状態で高圧引下線を切断できる間接活線工事用アダプタが求められている。そして、以上のことが本発明の課題といってよい。
【００２０】
本発明は、このような課題に鑑みてなされたものであり、絶縁操作棒などの間接活線工具の先端部に設けた一対の開閉する把持腕に取り付けでき、高圧引下線を把持した状態で高圧引下線を切断できる間接活線工事用アダプタを提供することを目的とする。
【課題を解決するための手段】
【００２１】
本発明者は、絶縁操作棒の先端部に設けた一対の開閉する把持腕の把持爪に一組の間接活線工事用アダプタを取り付け、高圧引下線を把持する把持部材を一組の間接活線工事用アダプタの対向面に取り付けると共に、高圧引下線を切断する刃部を端部に有する切断部材を一組の間接活線工事用アダプタの側面に取り付けることで、高圧引下線を把持した状態で高圧引下線を切断できることを見出し、これに基づいて、以下のような新たな間接活線工事用アダプタを発明するに至った。
【００２２】
（１）本発明による間接活線工事用アダプタは、絶縁操作棒の先端部に設けた一対の開閉する把持腕に取り付け、これらの把持腕の間に配置された電線を切断可能な、一組で構成される間接活線工事用アダプタであって、前記把持腕から遠心方向に突出する把持爪が挿入可能な凹部を底面に開口したブロック状のアダプタ本体と、このアダプタ本体に取り付け、前記把持爪の把持面と反対面から当該把持爪を固定する係止手段と、前記アダプタ本体の対向面に固定し、前記電線をその外周方向から把持する帯状の把持部材と、前記アダプタ本体の一方の側面に着脱自在に固定し、前記電線をその外周方向から切断する半円弧状の刃部を端部に有する板状の切断部材と、を備え、前記切断部材の刃部を対向配置すると共に、一対の前記把持腕が閉じた状態で、これらの刃部が交差するように、一方の前記切断部材に対して、他方の前記切断部材が厚さ方向に重なり合うように配置されている。
【００２３】
（２）前記アダプタ本体は、前記切断部材をボルト部材で固定するための一つ以上のネジ穴を一方の側面に有し、前記切断部材は、前記ボルト部材が挿入され、一対の前記刃部の対向距離を調整可能な長穴を開口していることが好ましい。
【００２４】
（３）前記把持部材は、その板厚方向に圧縮変形自在な弾性部材からなることが好ましい。
【００２５】
（４）前記アダプタ本体は、その対向面に前記把持部材を貼着してもよい。
【発明の効果】
【００２６】
本発明による間接活線工事用アダプタは、高圧引下線などの電線を把持する把持部材を一組の間接活線工事用アダプタの対向面に取り付けると共に、電線を切断する刃部を端部に有する切断部材を一組の間接活線工事用アダプタの側面に取り付けることで、電線を把持した状態で電線を切断できる。
【図面の簡単な説明】
【００２７】
【図１】本発明の一実施形態による間接活線工事用アダプタの構成を示す斜視分解組立図である。
【図２】前記実施形態による一方の間接活線工事用アダプタの構成を示す図であり、図２（Ａ）は、一方の間接活線工事用アダプタの正面図、図２（Ｂ）は、図２（Ａ）の平面図、図２（Ｃ）は、図２（Ａ）の右側面図、図２（Ｄ）は、図２（Ａ）の左側面図、図２（Ｅ）は、図２（Ａ）の下面図、図２（Ｆ）は、図２（Ｂ）のＡ−Ａ矢視断面図である。
【図３】前記実施形態による他方の間接活線工事用アダプタの構成を示す図であり、図３（Ａ）は、他方の間接活線工事用アダプタの正面図、図３（Ｂ）は、図３（Ａ）の平面図、図３（Ｃ）は、図３（Ａ）の右側面図、図３（Ｄ）は、図３（Ａ）の左側面図、図３（Ｅ）は、図３（Ａ）の下面図、図３（Ｆ）は、図３（Ｂ）のＡ−Ａ矢視断面図である。
【図４】前記実施形態による間接活線工事用アダプタに備わるアダプタ本体の構成を示す図であり、図４（Ａ）は、アダプタ本体を底面側から観た斜視図、図４（Ｂ）は、アダプタ本体の要部縦断面図、図４（Ｃ）は、アダプタ本体の要部横断面図である。
【図５】前記実施形態による一組の間接活線工事用アダプタを対向配置した状態図であり、一対の把持腕が最も開角した状態で、一対の把持腕に一組の間接活線工事用アダプタを取り付ける前の状態を示す正面図である。
【図６】前記実施形態による一組の間接活線工事用アダプタを対向配置した状態図であり、一対の把持腕が最も開角した状態で、一対の把持腕に一組の間接活線工事用アダプタを取り付けた状態を示す正面図である。
【図７】図６の状態変化図であり、一対の把持腕を閉じて、一対の把持部材が電線を把持した状態を示す正面図である。
【図８】図６の状態変化図であり、一対の把持腕を閉じて、一対の切断部材の刃部が交差して電線を切断した状態を示す正面図である。
【図９】従来技術による間接活線工事用アダプタ及び切断工具の構成を示す正面図であり、一方のアダプタを縦断面で示している。
【図１０】遠隔把持用の絶縁操作棒の一例を示す正面図であり、図１０（Ａ）は、絶縁操作棒の基端部側を示し、図１０（Ｂ）は、絶縁操作棒の先端部側を示している。
【図１１】図１０に示した絶縁操作棒の先端部を拡大した正面図である。
【発明を実施するための形態】
【００２８】
以下、図面を参照して本発明を実施するための形態を説明する。
［間接活線工事用アダプタの構成］
最初に、本発明の一実施形態による間接活線工事用アダプタの構成を説明する。図１は、本発明の一実施形態による間接活線工事用アダプタの構成を示す斜視分解組立図である。
【００２９】
図２は、前記実施形態による一方の間接活線工事用アダプタの構成を示す図であり、図２（Ａ）は、一方の間接活線工事用アダプタの正面図、図２（Ｂ）は、図２（Ａ）の平面図、図２（Ｃ）は、図２（Ａ）の右側面図、図２（Ｄ）は、図２（Ａ）の左側面図、図２（Ｅ）は、図２（Ａ）の下面図、図２（Ｆ）は、図２（Ｂ）のＡ−Ａ矢視断面図である。
【００３０】
図３は、前記実施形態による他方の間接活線工事用アダプタの構成を示す図であり、図３（Ａ）は、他方の間接活線工事用アダプタの正面図、図３（Ｂ）は、図３（Ａ）の平面図、図３（Ｃ）は、図３（Ａ）の右側面図、図３（Ｄ）は、図３（Ａ）の左側面図、図３（Ｅ）は、図３（Ａ）の下面図、図３（Ｆ）は、図３（Ｂ）のＡ−Ａ矢視断面図である。
【００３１】
図４は、前記実施形態による間接活線工事用アダプタに備わるアダプタ本体の構成を示す図であり、図４（Ａ）は、アダプタ本体を底面側から観た斜視図、図４（Ｂ）は、アダプタ本体の要部縦断面図、図４（Ｃ）は、アダプタ本体の要部横断面図である。
【００３２】
（全体構成）
図１から図４を参照すると、本発明の一実施形態による間接活線工事用アダプタ（以下、アダプタと略称する）１０は、ブロック状のアダプタ本体１、係止手段２、及び帯状の把持部材３を備えている。又、一方のアダプタ１０は、板状の切断部材４１を備えている。他方のアダプタ１０は、板状の切断部材４２を備えている。
【００３３】
（アダプタ本体の構成）
図１から図４を参照すると、アダプタ本体１は、絶縁操作棒７０の先端部に設けた一対の開閉する把持腕７ａ・７ｂに取り付けことができる（図７参照）。又、アダプタ本体１は、対向する一対の対向面１０ｇ・１０ｇに帯状の把持部材３を取り付けている。これらの把持部材３・３は、引下線などの電線Ｗをその外周方向から把持できる。
【００３４】
図４を参照すると、アダプタ本体１は、凹部１１ｈを底面に開口している。凹部１１ｈには、一対の把持腕７ａ・７ｂから遠心方向に突出する把持爪７１ａ又は把持爪７１ｂを挿入できる（図５又は図７参照）。
【００３５】
図１又は図４を参照すると、アダプタ本体１は、一対の雌ねじ穴１１ｓ・１１ｓを両側面に設けている。これらの雌ねじ穴１１ｓ・１１ｓには、六角穴付きボルトなどのボルト部材５を螺合できる（図１参照）。
【００３６】
図１又は図２を参照すると、一方のアダプタ本体１には、一組のボルト部材５・５を用いて、切断部材４１を着脱自在に固定できる。一方、図１又は図３を参照すると、他方のアダプタ本体１には、一組のボルト部材５・５を用いて、切断部材４２を着脱自在に固定できる。
【００３７】
（係止手段の構成）
図４を参照すると、係止手段２は、係合ピン２１と圧縮コイルばね２２を備えている。係合ピン２１は、軸部２１ｓと鍔部２１ｆで構成している。軸部２１ｓは、アダプタ本体１の外壁から突出した円筒部２ｐの内部に収容されている。軸部２１ｓは、その先端部が凹部１１ｈの内部に突出している（図４（Ｂ）参照）。鍔部２１ｆは、円筒部２ｐの上端縁に当接している。
【００３８】
図４（Ｂ）を参照すると、圧縮コイルばね２２は、軸部２１ｓの外周を巻回している。又、圧縮コイルばね２２は、円筒部２ｐの内部に収容されている。圧縮コイルばね２２の一端部は、軸部２１ｓに固定されている。圧縮コイルばね２２の他端部は、円筒部２ｐの内壁に固定されている。そして、圧縮コイルばね２２は、軸部２１ｓの先端部が凹部１１ｈの内部に突出する力を付勢している。
【００３９】
図４（Ａ）又は図４（Ｂ）を参照して、鍔部２１ｆを把持して、圧縮コイルばね２２の弾性力に抗して、係合ピン２１を引き上げると、把持爪７１ａ又は把持爪７１ｂを凹部１１ｈに収容できる（図７参照）。そして、鍔部２１ｆを解放すると、把持爪７１ａ又は把持爪７１ｂの把持面７０ａ・７０ｂと反対面から把持爪７１ａ又は把持爪７１ｂに係合ピン２１の先端部を当接できる。把持爪７１ａ又は把持爪７１ｂには、係合ピン２１の先端部が進入する窪み７ｄを設けている（図７参照）。
【００４０】
図４（Ｂ）又は図４（Ｃ）を参照すると、軸部２１ｓは、遠心方向に係止ピン２１ｐを突出している。一方、円筒部２ｐの内部には、係止ピン２１ｐを軸部２１ｓの軸方向に案内するスリット状の溝２１ｍを設けている。
【００４１】
図４（Ｂ）又は図４（Ｃ）を参照して、鍔部２１ｆを把持して、係合ピン２１を引き上げると、係止ピン２１ｐを円筒部２ｐの上端縁を超える高さに移動できる。そして、係合ピン２１を外周方向に回動すると、係止ピン２１ｐを円筒部２ｐの上端縁に当接できる。これにより、係合ピン２１を引き上げた状態を維持でき、把持爪７１ａ又は把持爪７１ｂを凹部１１ｈに収容した後に、係合ピン２１を逆方向に回動することで、アダプタ本体１を把持爪７１ａ又は把持爪７１ｂに固定できる。
【００４２】
（把持部材の構成）
図１から図３を参照すると、把持部材３は、アダプタ本体１の対向面１０ｇに貼着されている。把持部材３は、その板厚方向に圧縮変形自在なゴム板など弾性部材からなっている。一対の把持腕７ａ・７ｂを閉じると、一対の把持部材３・３で、電線Ｗをその外周方向から確実に把持できる（図７参照）。
【００４３】
（切断部材の構成）
図１又は図２を参照すると、一方の切断部材４１は、半円弧状の刃部４ｃを端部に形成している。同様に、図１又は図３を参照すると、他方の切断部材４２は、半円弧状の刃部４ｃを端部に形成している。切断部材４１及び切断部材４２は、それらの刃部４ｃを焼き入れ加工した鋼板からなることが好ましい。
【００４４】
図１又は図６を参照すると、切断部材４１の刃部４ｃと切断部材４２の刃部４ｃは、互いに対向するように配置されている。そして、一対の把持腕７ａ・７ｂを閉じると、一組のアダプタ１０・１０の間に配置された電線Ｗを切断することができる（図６参照）。
【００４５】
図１又は図３を参照すると、アダプタ本体１の側面と切断部材４２の間には、所定の厚さを有するスペーサ４３を配置している。スペーサ４３を介在して、切断部材４２をアダプタ本体１の側面に固定することで、一対の把持腕７ａ・７ｂが閉じた状態で、一対の刃部４ｃ・４ｃを交差できる（図８参照）。又、アダプタ本体１の側面と切断部材４２の間にスペーサ４３を介在することで、一方の切断部材４１に対して、他方の切断部材４２を厚さ方向に重なり合うように配置できる。
【００４６】
図１又は図２を参照すると、一方の切断部材４１は、一対の長穴４ｈ・４ｈを開口している。同様に、図１又は図３を参照すると、他方の切断部材４２は、一対の長穴４ｈ・４ｈを開口している。
【００４７】
図１を参照して、一対の長穴４ｈ・４ｈに一組のボルト部材５・５を挿入して、一方の切断部材４１をアダプタ本体１の側面に固定できる。スペーサ４３に開口した一組のボルト穴４３ｈ・４３ｈ、及び一対の長穴４ｈ・４ｈに一組のボルト部材５・５を挿入して、他方の切断部材４２をアダプタ本体１の側面に固定できる。
【００４８】
図１又は図２を参照して、一方のアダプタ本体１に対して、切断部材４１の取り付け位置を変えることで、一対の刃部４ｃ・４ｃの対向距離を調整できる。他方のアダプタ本体１に対して、切断部材４２の取り付け位置を変えることで、一対の刃部４ｃ・４ｃの対向距離を調整できる。このように、切断部材４１及び切断部材４２は、ボルト部材５が挿入され、一対の刃部４ｃ・４ｃの対向距離を調整可能な一対の長穴４ｈ・４ｈを開口している。
【００４９】
［間接活線工事用アダプタの作用］
次に、実施形態によるアダプタ１０の操作方法を説明しながら、アダプタ１０の作用及び効果を説明する。
【００５０】
図５は、前記実施形態による一組の間接活線工事用アダプタを対向配置した状態図であり、一対の把持腕が最も開角した状態で、一対の把持腕に一組の間接活線工事用アダプタを取り付ける前の状態を示す正面図である。
【００５１】
図６は、前記実施形態による一組の間接活線工事用アダプタを対向配置した状態図であり、一対の把持腕が最も開角した状態で、一対の把持腕に一組の間接活線工事用アダプタを取り付けた状態を示す正面図である。
【００５２】
図７は、図６の状態変化図であり、一対の把持腕を閉じて、一対の切断部材の刃部が交差して電線を切断した状態を示す正面図である。図８は、図６の状態変化図であり、一対の把持腕を閉じて、一対の切断部材の刃部が交差して電線を切断した状態を示す正面図である。なお、従来技術で用いた符号と同じ符号を付した構成品は、その作用を同じとするので説明を省略することがある。
【００５３】
図５を参照して、アダプタ１０は、把持爪７１ａ又は把持爪７１ｂを凹部１１ｈに挿入し（図４参照）、係合ピン２１で固定できる。一組のアダプタ１０・１０は、対向する一対の把持部材３・３の間に引下線などの電線Ｗを把持できる（図１参照）。アダプタ本体１の対向面１０ｇに弾性部材からなる把持部材３を取り付けておくことで、電線Ｗをその外周方向から確実に把持できる（図７参照）。
【００５４】
次に、図６を参照して、絶縁操作棒７０を操作して、一対の刃部４ｃ・４ｃの間に電線Ｗを導入する。次に、図６に示した状態から、操作レバー７４を握って、操作レバー７４を操作棒７１に近づけると（図１０参照）、一方のアダプタ１０に対して、他方のアダプタ１０を閉じることができる（図７参照）。図７に示した状態では、対向する一対の把持部材３・３が電線Ｗをその外周方向から把持している。
【００５５】
又、図８を参照すると、一対のアダプタ１０・１０を閉じた状態では（図７参照）、一対の刃部４ｃ・４ｃが交差し、電線Ｗをその外周方向から切断できる。
【００５６】
このように、実施形態によるアダプタ１０は、高圧引下線などの電線Ｗを把持する把持部材３を一組のアダプタ本体１・１の対向面１０ｇに取り付けると共に、電線Ｗを切断する刃部４ｃを端部に有する切断部材４１・４２を一組のアダプタ本体１の側面に取り付けることで、電線Ｗを把持した状態で電線Ｗを切断できる。
【００５７】
又、実施形態によるアダプタ１０は、ボルト部材５が挿入され、一対の刃部４ｃ・４ｃの対向距離を調整可能な一対の長穴４ｈ・４ｈを切断部材４１及び切断部材４２に開口しているので、異なる外径の電線Ｗに対応できる。
【００５８】
図９を参照すると、従来技術による切断工具９は、一対の把持爪７１ａ・７１ｂの上方で電線Ｗを切断している。一方、実施形態によるアダプタ１０は、一対の把持爪７１ａ・７１ｂが対向する位置に電線Ｗを導入して、一対の把持爪７１ａ・７１ｂが電線Ｗを把持する感覚で、電線Ｗを容易に切断できる（図６又は図８参照）。
【００５９】
本発明による間接活線工事用アダプタは、次のような効果が奏される。
（１）間接活線工法により高圧引下線などの電線を確実に切断できる。
（２）従来の切断工具と比較して構造が簡易であり、電線の切断と把持を同時に実現可能とした。
（３）切断される電線の両端部を絶縁操作棒で把持する必要が無くなり、電気工事のコストダウンが期待できる。
【００６０】
本発明は、絶縁操作棒などを用いて、無停電状態の高圧配電線を間接的に活線工事できる間接活線工事用アダプタを開示したが、本発明のアダプタは、間接活線工事用に限定されることなく、他の分野でも応用されることが期待される。
【符号の説明】
【００６１】
１  アダプタ本体
２  係止手段
３  把持部材
４ｃ  刃部
７ａ・７ｂ  一対の把持腕
１０  アダプタ（間接活線工事用アダプタ）
１０ｇ  対向面
１１ｈ  凹部
４１  切断部材
４２  切断部材
７０  絶縁操作棒
７０ａ・７０ｂ  一対の把持面
７１ａ・７１ｂ  一対の把持爪
Ｗ  電線
【図１】
2015082864.tif 000003
【図２】
2015082864.tif 000004
【図３】
2015082864.tif 000005
【図４】
2015082864.tif 000006
【図５】
2015082864.tif 000007
【図６】
2015082864.tif 000008
【図７】
2015082864.tif 000009
【図８】
2015082864.tif 000010
【図９】
2015082864.tif 000011
【図１０】
2015082864.tif 000012
【図１１】
2015082864.tif 000013